(57)【要約】【課題】従来のブックカバーは全てが透明か不透明のものが多く、全て透明のものでは中身の本が何であるか確認しやすいが反面他人の目が気になり、全て不透明のものでは他人に見られず安心だが持ち主本人が何の本だか分からなくなるなど欠点もあったので、これらの欠点のないブックカバーを提供する。【解決手段】ブックカバーにおける本の表紙、裏表紙、及び背表紙に対応する各箇所を透明、半透明、不透明という３段階の透過視認性の程度に区分けし、これら３つの各箇所において少なくとも透過視認性に関し１段階以上の差がつくようなブックカバーとして（例えば背表紙に対応する箇所が透明で表紙及び裏表紙に対応する箇所が不透明）、事前にどの部分が透過視認性に優れているかを知っている本の持ち主と知らない他人とで本の装丁の表記内容に対する視認の程度、視認の速さに差をつけ、直に確認出来てしかも他人には見られにくくした。【選択図】図１
2008302551.tif 000002
【特許請求の範囲】
【請求項１】
少なくとも本の表紙、裏表紙、又は背表紙に対応する部分の内のいずれかひとつの箇所が透明又は半透明で、他のふたつの箇所が不透明であることを特徴とするブックカバー。
【請求項２】
本の背表紙に対応する箇所が透明で本の表紙若しくは裏表紙に対応する箇所のいずれか一方が半透明で残りの一方が不透明であるか、又は表紙並びに裏表紙に対応する箇所共に半透明若しくは不透明であることを特徴とする請求項１のブックカバー。
【請求項３】
本の背表紙に対応する箇所が半透明で本の表紙若しくは裏表紙に対応する箇所のいずれか一方が半透明で残りの一方が不透明であるか、又は表紙並びに裏表紙に対応する箇所共に不透明であることを特徴とする請求項１のブックカバー。
【請求項４】
本の背表紙に対応する箇所が透明なシート又はフイルムより成り、本の表紙若しくは裏表紙に対応する箇所のいずれか一方が半透明で残りの一方が不透明であるか、又は表紙並びに裏表紙に対応する箇所共に半透明若しくは不透明であることを特徴とする請求項１又は２のいずれか１項に記載のブックカバー。
【請求項５】
本の背表紙に対応する箇所が半透明なシート又はフイルムより成り、本の表紙若しくは裏表紙に対応する箇所のいずれか一方が半透明で残りの一方が不透明であるか、又は表紙並びに裏表紙に対応する箇所共に不透明であることを特徴とする請求項１又は３のいずれか１項に記載のブックカバー。
【請求項６】
本の背表紙に対応する箇所が透明なシート又はフイルムより成り、本の表紙若しくは裏表紙に対応する箇所のいずれか一方が半透明で残りの一方が不透明であるか、又は表紙並びに裏表紙に対応する箇所共に半透明若しくは不透明で、表紙並びに裏表紙に対応する箇所
の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを特徴とする請求項１、２、又は４のいずれか１項に記載のブックカバー。
【請求項７】
本の背表紙に対応する箇所が半透明なシート又はフイルムより成り、本の表紙若しくは裏表紙に対応する箇所のいずれか一方が半透明で残りの一方が不透明であるか、又は表紙並びに裏表紙に対応する箇所共に不透明で、表紙並びに裏表紙に対応する箇所の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを特徴とする請求項１、３、又は５のいずれか１項に記載のブックカバー。
【請求項８】
本の背表紙に対応する箇所が透明なポリプロピレン、ポリ塩化ビニル、ポリエチレン、ポリオレフィン又はポリスチレンのシート若しくはフイルムより成り、本の表紙若しくは裏表紙に対応する箇所のいずれか一方が半透明で残りの一方が不透明であるか、又は表紙並びに裏表紙に対応する箇所共に半透明若しくは不透明で、表紙並びに裏表紙に対応する箇所の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを特徴とする請求項１、２、４、又は６のいずれか１項に記載のブックカバー。
【請求項９】
本の背表紙に対応する箇所が半透明なポリプロピレン、ポリ塩化ビニル、ポリエチレン、ポリオレフィン又はポリスチレンのシート若しくはフイルムより成り、本の表紙若しくは裏表紙に対応する箇所のいずれか一方が半透明で残りの一方が不透明であるか、又は表紙並びに裏表紙に対応する箇所共に不透明で、表紙並びに裏表紙に対応する箇所の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを特徴とする請求項１、３、５、又は７のいずれか１項に記載のブックカバー。
【請求項１０】
本の背表紙に対応する箇所が透明又は半透明なシート又はフイルムより成り、本の表紙及び裏表紙に対応する箇所が不透明であることを特徴とする請求項１の書店サービスカバー用のブックカバー。
【請求項１１】
本の背表紙に対応する箇所が透明又は半透明なシート又はフイルムより成り、本の表紙及び裏表紙に対応する箇所が不透明であり、表紙及び裏表紙に対応する箇所の素材が紙であることを特徴とする請求項１又は１０のいずれか１項に記載の書店サービスカバー用のブックカバー。
【請求項１２】
本の背表紙に対応する箇所が透明又は半透明なポリスチレン、ポリプロピレン、ポリエチレン、ポリエステル、ポリオレフィン、ポリ塩化ビニル、若しくは生分解性樹脂のシート又はフイルムより成り、本の表紙及び裏表紙に対応する箇所が不透明であり、表紙及び裏表紙に対応する箇所の素材が紙であることを特徴とする請求項１、１０、又は１１のいずれか１項に記載の書店サービスカバー用のブックカバー。
【請求項１３】
本の背表紙に対応する箇所が透明又は半透明なポリスチレン、ポリプロピレン、ポリエチレン、ポリエステル、ポリオレフィン、ポリ塩化ビニル、若しくは生分解性樹脂のシート又はフイルムより成り、該シート又はフイルムよりなるこの背表紙に対応する箇所が接着により本の表紙及び裏表紙に対応する紙素材の箇所とそれぞれ連結形成されたことを特徴とする請求項１又は１０〜１２のいずれか１項に記載の書店サービスカバー用のブックカバー。
【請求項１４】
本の表紙若しくは裏表紙に対応する箇所のいずれか一方が透明なシート若しくはフイルムより成り、残りの一方が半透明若しくは不透明なシート若しくはフイルムより成るか、又は表紙並びに裏表紙に対応する箇所が共に透明若しくは半透明なシート若しくはフイルムより成り、本の背表紙に対応する箇所が不透明であることを特徴とする請求項１のブックカバー。
【請求項１５】
本の表紙若しくは裏表紙に対応する箇所のいずれか一方が透明なシート若しくはフイルムより成り、残りの一方が半透明若しくは不透明なシート若しくはフイルムより成るか、又は表紙並びに裏表紙に対応する箇所が共に透明若しくは半透明なシート若しくはフイルムより成り、本の背表紙に対応する箇所が不透明で、この本の背表紙に対応する箇所の素材が本皮革、合成皮革、合成繊維、合成樹脂のシート若しくはフイルム、綿、綿混紡、帆布、紙、又は加工紙であることを特徴とする請求項１又は１４のいずれか１項に記載のブックカバー。
【請求項１６】
本の表紙若しくは裏表紙に対応する箇所のいずれか一方が透明なポリプロピレン、ポリ塩化ビニル、ポリエチレン、ポリオレフィン若しくはポリスチレンのシート若しくはフイルムより成り、残りの一方が半透明若しくは不透明なポリプロピレン、ポリ塩化ビニル、ポリエチレン、ポリオレフィン若しくはポリスチレンのシート若しくはフイルムより成るか、又は表紙並びに裏表紙に対応する箇所が共に透明若しくは半透明なポリプロピレン、ポリ塩化ビニル、ポリエチレン、ポリオレフィン若しくはポリスチレンのシート若しくはフイルムより成り、本の背表紙に対応する箇所が不透明で、この本の背表紙に対応する箇所の素材が本皮革、合成皮革、合成繊維、合成樹脂のシート若しくはフイルム、綿、綿混紡、帆布、紙、又は加工紙であることを特徴とする請求項１、１４又は１５のいずれか１項に記載のブックカバー。
【発明の詳細な説明】
【技術分野】
【０００１】
本発明は、本の装丁の一部を隠す構成とすることにより、本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーに関する。
【背景技術】
【０００２】
従来のブックカバーは、本の表紙、裏表紙、及び背表紙をカバーする部分すべてが透明、半透明、又は不透明のいずれかになっており、自分が買った本を持ち歩く時、喫茶店など他の人が沢山いる場所で本を開いて読む時、そして自宅の書棚のある部屋に来客があった時などに、本の所持者又は所有者本人では割りと容易にその本の装丁、表紙、裏表紙、背表紙などの表記内容からその本がどの本であるのか、どんな内容の本であるのかが分かり、しかし他人からはちょっと見ではその本がどんな本であるのかが分かりにくいといった便利で、他人にどんな本を読んでいるのかを知られにくいという安心感を本の所有者又は所持者に与えるような仕様、体裁になっていない。そしてこのような問題点を解決するといった発想に基づく先行技術は現在のところ見当たらない。
【発明の開示】
【発明が解決しようとする課題】
【０００３】
個人が書店で本を購入した場合、よく書店のサービスで無料にて本に紙のカバーを掛けてもらえる。しかしこの場合、自分が購入し持ち歩く本の装丁、表紙、裏表紙、背表紙などの表記内容が他人からは見られないため、どんな本を読んでいるかを他人に知られないという安心感があるというメリットがある反面、逆に前記の無料提供の紙カバーを掛けた本をしばらく使用せず放置しておくとその本がどんな内容の本であったのかを自分自身でも分からなくなってしまうという不都合が生じ、持ち出すことが面倒になる場合もある。また同じようなブックサイズの前記の無料提供の紙カバーを掛けた本を数冊持ち歩くと、前記の無料の紙カバーにより他人からどのような内容の本を読んでいるかを知られずに、プライバシーが守られるが、逆に前記の無料の紙カバーが邪魔してどれがどの本であるか自分でも分からなくなり、いちいち本を開いて開いた頁の記載内容により判断せざるを得ないという面倒が生じる場合も多い。更に前記の無料の紙カバーを掛けたままの本を自宅の書棚に収納いる場合でも、本の表紙、裏表紙、背表紙ともすべて不透明な紙カバーで覆われるため、しばらく本の出し入れをしていないとどれがどの本だか書棚を眺めるだけでは分からなくなり、その中の１冊を引き出しても表紙、裏表紙とも紙カバーで覆われているため、本をいちいち開いて確認しなければ何の本だか判別できないという不都合が生じることも多い。
【０００４】
上記で述べた本の表紙、裏表紙、背表紙ともすべて不透明なカバーで覆ってしまうことによるメリット、そして不都合、デメリットは、文具売場等で販売されている有料の各種ブックカバーにおいても同様に言えることである。勿論この有料の各種ブックカバーの中にはすべて透明な塩化ビニールなどで構成されているブックカバーもあるが、この場合では中の本を汚れから守る機能はあるが、本を持ち歩く時、喫茶店など他の人が沢山いる場所で本を開いて読む時や書棚のある部屋に来客があった時などでは他人から本の装丁、タイトル名などがすぐに視認可能となり、本の内容がすぐに分かってしまい、気になって困るといったことも多々起きる。
【０００５】
以上説明してきたことから分かるように、本発明が解決しようとする課題は、本の所持者又は所有者が本を持ち歩く時、喫茶店など他の人が沢山いる場所で本を開いて読む時、そして自宅の本を収納している書棚のある部屋に来客があった時などに、本の所持者又は所有者自身では割りと容易にその本の装丁、表紙、裏表紙、背表紙などの表記内容を視認でき、よってその本がどの本であるのか、どんな内容の本であるのかが分かり、しかし他人からはちょっと見ではその本の装丁、表紙、裏表紙、背表紙などの表記内容が視認できにくく、その本がどんな本であるのかが分かりにくいといった便利で、他人からはどんな本を読んでいるのかを知られにくいという安心感を本の所持者又は所有者に与えるような仕様のブックカバーを提供することである。
【課題を解決するための手段】
【０００６】
各請求項にそれぞれ記載された各発明は、上記の目的を達成するためになされたものであり、以下に課題を解決するための各手段を記載する。
【０００７】
請求項１に係る発明では、本の装丁、表紙、裏表紙、背表紙などの一部を隠すことが出来て、本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、少なくとも本の表紙、裏表紙、又は背表紙に対応する部分の内のいずれかひとつの部分が透明又は半透明で、他のふたつの部分が不透明である構成として課題を解決している。
【０００８】
従来のブックカバーは、表紙、裏表紙、及び背表紙のすべてが同じ素材により形成されていて、その素材が本皮革、合成皮革、合成繊維、綿、綿混紡、帆布、紙、又は加工紙の場合には表紙、裏表紙、及び背表紙のすべてが不透明な状態となり、その素材が合成樹脂のシート若しくはフイルムの場合には不透明な状態となることもあるが、透明又は半透明な状態となることある。そして従来のブックカバーがこのようなものであるため、ブックカバーに覆われている中身の本の装丁、表紙、裏表紙、背表紙などの表記内容は、本の所持者（又は所有者）本人からでも他人からでもその視認の条件、視認の程度は同じものとなり所持者（又は所有者）と他人とで差は生ぜず、所持者（又は所有者）にとって本の装丁（表紙、裏表紙、及び背紙）の保護以外のメリットは生じない。
【０００９】
従って本発明では、ブックカバーにおける本の表紙、裏表紙、及び背表紙に対応する各箇所を透明、半透明、不透明という３段階の透過視認性の程度に区分けし、これら３つの各箇所において少なくとも前記の透明、半透明、不透明という３段階の透過視認性に関し１段階以上の差がつくようなブックカバーを構成することにより、事前に本の表紙、裏表紙、及び背表紙に対応する各部分の内のどの部分が透過視認性に優れているかを知っている本の所持者（又は所有者）本人と知らない他人とで本の装丁（表紙、裏表紙、及び背表紙）の表記内容に対する視認の程度、視認の速さなどに差をつけ、どんな本を持ち、読んでいるのかを他人に即座に知られないという安心感を本の所持者（又は所有者）本人に与えることとした。
【００１０】
請求項２に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が透明で本の表紙若しくは裏表紙に対応する箇所のいずれか一方が半透明で残りの一方が不透明であるか、又は表紙並びに裏表紙に対応する箇所共に半透明若しくは不透明であることを構成として課題を解決している。
【００１１】
請求項３に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が半透明で本の表紙若しくは裏表紙に対応する箇所のいずれか一方が半透明で残りの一方が不透明であるか、又は表紙並びに裏表紙に対応する箇所共に不透明であるあることを構成として課題を解決している。
【００１２】
請求項４に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が透明なシート又はフイルムより成り、本の表紙若しくは裏表紙に対応する箇所のいずれか一方が半透明で残りの一方が不透明であるか、又は表紙並びに裏表紙に対応する箇所共に半透明若しくは不透明であることを構成として課題を解決している。
【００１３】
請求項５に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が半透明なシート又はフイルムより成り、本の表紙若しくは裏表紙に対応する箇所のいずれか一方が半透明で残りの一方が不透明であるか、又は表紙並びに裏表紙に対応する箇所共に不透明であることを構成として課題を解決している。
【００１４】
請求項６に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が透明なシート又はフイルムより成り、本の表紙若しくは裏表紙に対応する箇所のいずれか一方が半透明で残りの一方が不透明であるか、又は表紙並びに裏表紙に対応する箇所共に半透明若しくは不透明で、表紙並びに裏表紙に対応する箇所
の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを構成として課題を解決している。
【００１５】
請求項７に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が半透明なシート又はフイルムより成り、本の表紙若しくは裏表紙に対応する箇所のいずれか一方が半透明で残りの一方が不透明であるか、又は表紙並びに裏表紙に対応する箇所共に不透明で、表紙並びに裏表紙に対応する箇所の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを構成として課題を解決している。
【００１６】
請求項８に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が透明なポリプロピレン、ポリ塩化ビニル、ポリエチレン、ポリオレフィン又はポリスチレンのシート若しくはフイルムより成り、本の表紙若しくは裏表紙に対応する箇所のいずれか一方が半透明で残りの一方が不透明であるか、又は表紙並びに裏表紙に対応する箇所共に半透明若しくは不透明で、表紙並びに裏表紙に対応する箇所の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを構成として課題を解決している。
【００１７】
請求項９に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来るブックカバーを、本の背表紙に対応する箇所が半透明なポリプロピレン、ポリ塩化ビニル、ポリエチレン、ポリオレフィン又はポリスチレンのシート若しくはフイルムより成り、本の表紙若しくは裏表紙に対応する箇所のいずれか一方が半透明で残りの一方が不透明であるか、又は表紙並びに裏表紙に対応する箇所共に不透明で、表紙並びに裏表紙に対応する箇所の素材が半透明の箇所の場合であれば合成樹脂のシート又はフイルムであり、不透明の箇所の場合であれば本皮革、合成皮革、合成繊維、合成樹脂のシート若しくはフイルム、綿、綿混紡、帆布、紙、又は加工紙であることを構成として課題を解決している。
【００１８】
請求項１０に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来る書店サービスカバー用のブックカバーを、本の背表紙に対応する箇所が透明又は半透明なシート又はフイルムより成り、本の表紙及び裏表紙に対応する箇所が不透明であることを構成として課題を解決している。
【００１９】
請求項１１に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来る書店サービスカバー用のブックカバーを、本の背表紙に対応する箇所が透明又は半透明なシート又はフイルムより成り、本の表紙及び裏表紙に対応する箇所が不透明であり、表紙及び裏表紙に対応する箇所の素材が紙であることを構成として課題を解決している。
【００２０】
請求項１２に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来る書店サービスカバー用のブックカバーを、本の背表紙に対応する箇所が透明又は半透明なポリスチレン、ポリプロピレン、ポリエチレン、ポリエステル、ポリオレフィン、ポリ塩化ビニル、若しくは生分解性樹脂のシート又はフイルムより成り、本の表紙及び裏表紙に対応する箇所が不透明であり、表紙及び裏表紙に対応する箇所の素材が紙であることを構成として課題を解決している。
【００２１】
請求項１３に係る発明では、本の装丁、表紙、裏表紙、背表紙などの一部を隠すことが出来て、外出時などで本の所持者（又は所有者）本人にはその所持本（又は所有本）がどんな本であるかが割りとたやすく視認できて分かり、逆に他人からは自分の所持本がどんな内容の本であるかを即座に察知されづらく出来る書店サービスカバー用のブックカバーを、本の背表紙に対応する箇所が透明又は半透明なポリスチレン、ポリプロピレン、ポリエチレン、ポリエステル、ポリオレフィン、ポリ塩化ビニル、若しくは生分解性樹脂のシート又はフイルムより成り、該シート又はフイルムよりなるこの背表紙に対応する箇所が接着により本の表紙及び裏表紙に対応する紙素材の箇所とそれぞれ連結形成されたことを構成として課題を解決している。
【００２２】
請求項１４に係る発明では、本の装丁、表紙、裏表紙、背表紙などの一部を隠すことが出来て、本を収納している書棚のある部屋に来客があった時などに、他人からは自分の所持本（又は所有本）がどんな内容の本であるかを即座に察知されづらく、本の所持者（又は所有者）本人がひとりいる時には本人にはその所持本（又は所有本）がちょっと取り出せば本を開かなくてもどんな本であるかが割りとたやすく視認出来るブックカバーを、本の表紙若しくは裏表紙に対応する箇所のいずれか一方が透明なシート若しくはフイルムより成り、残りの一方が半透明若しくは不透明なシート若しくはフイルムより成るか、又は表紙並びに裏表紙に対応する箇所が共に透明若しくは半透明なシート若しくはフイルムより成り、本の背表紙に対応する箇所が不透明であることを構成として課題を解決している。
【００２３】
請求項１５に係る発明では、本の装丁、表紙、裏表紙、背表紙などの一部を隠すことが出来て、本を収納している書棚のある部屋に来客があった時などに、他人からは自分の所持本（又は所有本）がどんな内容の本であるかを即座に察知されづらく、本の所持者（又は所有者）本人がひとりいる時には本人にはその所持本（又は所有本）がどんな本であるかが割りとたやすく視認出来るブックカバーを、本の表紙若しくは裏表紙に対応する箇所のいずれか一方が透明なシート若しくはフイルムより成り、残りの一方が半透明若しくは不透明なシート若しくはフイルムより成るか、又は表紙並びに裏表紙に対応する箇所が共に透明若しくは半透明なシート若しくはフイルムより成り、本の背表紙に対応する箇所が不透明で、この本の背表紙に対応する箇所の素材が本皮革、合成皮革、合成繊維、合成樹脂のシート若しくはフイルム、綿、綿混紡、帆布、紙、又は加工紙であることを構成として課題を解決している。
【００２４】
請求項１６に係る発明では、本の装丁、表紙、裏表紙、背表紙などの一部を隠すことが出来て、本を収納している書棚のある部屋に来客があった時などに、他人からは自分の所持本（又は所有本）がどんな内容の本であるかを即座に察知されづらく、本の所持者（又は所有者）本人がひとりいる時には本人にはその所持本（又は所有本）がどんな本であるかが割りとたやすく視認出来るブックカバーを、本の表紙若しくは裏表紙に対応する箇所のいずれか一方が透明なポリプロピレン、ポリ塩化ビニル、ポリエチレン、ポリオレフィン若しくはポリスチレンのシート若しくはフイルムより成り、残りの一方が半透明若しくは不透明なポリプロピレン、ポリ塩化ビニル、ポリエチレン、ポリオレフィン若しくはポリスチレンのシート若しくはフイルムより成るか、又は表紙並びに裏表紙に対応する箇所が共に透明若しくは半透明なポリプロピレン、ポリ塩化ビニル、ポリエチレン、ポリオレフィン若しくはポリスチレンのシート若しくはフイルムより成り、本の背表紙に対応する箇所が不透明で、この本の背表紙に対応する箇所の素材が本皮革、合成皮革、合成繊維、合成樹脂のシート若しくはフイルム、綿、綿混紡、帆布、紙、又は加工紙であることを構成として課題を解決している。
【発明の効果】
【００２５】
以上の説明から明らかなように、本発明にあっては次の効果が得られる。
【００２６】
本発明のブックカバーは、本の表紙、裏表紙、及び背表紙に対応する各箇所を透明、半透明、不透明という３段階の透過視認性の程度に区分けし、本の表紙、裏表紙、及び背表紙に対応する３つの各部分において少なくとも前記の透明、半透明、不透明という３段階の透過視認性に関し１段階以上の差がつくような構成で形成されるようにした。
【００２７】
これによって、本発明のブックカバーを使用すれば、事前に本の表紙、裏表紙、及び背表紙に対応する各部分の内のどの部分が透過視認性に優れているかを知っている本の所持者（又は所有者）本人と知らない他人とで本の装丁（表紙、裏表紙、及び背表紙）の表記内容に対する視認の程度、視認の速さなどに差をつけ、どんな本を持ち、読んでいるのかを他人に即座に知られないという安心感を本の所持者（又は所有者）本人は持つことが出来ることになった。
【発明を実施するための最良の形態】
【００２８】
以下、本発明のブックカバーの実施の形態を図面に基づき詳細に説明する。
なお本は縦書き、横書きなどの違いにより、小口に向かって右側が表紙となる場合もあれば左側が表紙となる場合もあるが、本発明の説明においては便宜上小口に向かって右側が表紙とします。また半透明とは白濁色のような均一的にスモークがかかったようなものだけに限らず、透明な素材に縞模様、網目模様、格子模様、花や動物をモチーフとしたプリント柄などを配色したもの又はプリントしたものなどこのことにより透過視認性が少し悪くなった状態も含むものである。
【００２９】
図１〜図３は第１の実施の形態のブックカバーの斜視図、平面図、斜視図であり、図４〜図７は第２、４、又は６の実施の形態のブックカバーの斜視図、平面図、斜視図、斜視図で、図８〜図１１は第３、５、又は７の実施の形態のブックカバーの斜視図、平面図、斜視図、斜視図である。また図１２、図１３、図３は第１０〜１３いずれか一つの実施の形態の平面図、平面図、斜視図であり、また図１４〜図１７は第１４〜１６いずれか一つの実施の形態のブックカバーの斜視図、平面図、斜視図、斜視図である。
【００３０】
第1の実施の形態につき図１〜図３により説明する。斜視図である図１は、束２を中心に置いて表紙３と裏表紙４を左右に広げている本１の背表紙５に、第1の実施の形態のブックカバーにおける背表紙５に対応する箇所６をちょうど当てて、このブックカバーにおける表紙３に対応する箇所７と裏表紙４に対応する箇所８を水平に開いている状態を示してる。この図１の場合では背表紙５に対応する箇所６は透明で、表紙３に対応する箇所７と裏表紙４に対応する箇所８が不透明という例となっている。勿論背表紙５に対応する箇所６が半透明でも良い。
【００３１】
この場合、透明又は不透明となる背表紙５に対応する箇所６の素材は、ポリプロピレン、ポリ塩化ビニル、ポリエチレン、ポリオレフィン又はポリスチレンのシート又はフイルムが使用され得る。また不透明な表紙３に対応する箇所７及び裏表紙４に対応する箇所８の素材は、本皮革、ポリウレタンなどの合成皮革、合成繊維、合成樹脂のシート若しくはフイルム、綿、綿混紡、帆布、紙、又は加工紙が使用され得る。背表紙５に対応する箇所６、表紙３に対応する箇所７、及び裏表紙４に対応する箇所８のすべてを同一素材のポリプロピレン、ポリ塩化ビニル、ポリエチレン、ポリオレフィン又はポリスチレンのシート又はフイルムで形成する場合には、不透明にしようとする箇所を縞模様、網目模様、格子模様、花や動物をモチーフとしたプリント柄などを全面に濃く配色したりプリントしたりして、透過視認性を全く失わせて、不透明とすることでも構わない。
【００３２】
表紙、裏表紙、及び背表紙に対応する３つの箇所間において、違う素材であるポリプロピレン、ポリ塩化ビニル、ポリエチレン、ポリオレフィン又はポリスチレンのシート又はフイルムの素材と本皮革、合成皮革、合成繊維、合成樹脂のシート若しくはフイルム、綿、綿混紡、帆布、紙、又は加工紙の素材を同時に使用してブックカバーを作成する場合の前記各箇所を接合し連結形成する方法には、（１）縫製による接合（太い糸又は皮ひもで縫い合わせることも含む）、（２）接着剤による接合、及び（３）カシメによる接合がある。
【００３３】
なお前記（２）接着剤による接合の場合であれば、ポリプロピレン、ポリエチレンなどのシート又はフイルムと本皮革、合成皮革、綿、綿混紡、帆布、紙、又は加工紙を接着させるにはスチレンブタジエンゴムと有機溶剤であるシクロヘキサン及びアセトンから成る合成ゴム系の接着剤の使用が望ましいし、ポリ塩化ビニルと本皮革、合成皮革、綿、綿混紡、帆布、紙、又は加工紙を接着させるにはアクリル変成シリコーン樹脂と炭素塩から成る化学反応形接着剤の使用が望ましい。
【００３４】
平面図である図２は、第1の実施の形態におけるブックカバーの開かれた状態の裏側を示すものであり、背表紙５に対応する箇所６は透明で、表紙３に対応する箇所７と裏表紙４に対応する箇所８が不透明という例となっている。また固定のための帯９が示されている。本発明のブックカバーを裏側に固定のための帯９が有るもので説明しているが、本発明のブックカバーはこれに限るものではなく、固定のための帯９の無いタイプのものをはじめ様々な様式、構成、構造のものも含まれる。
【００３５】
斜視図である図３は、第1の実施の形態におけるブックカバーが本をカバーし実際に使われる状態を示したものであり、背表紙５に対応する箇所６は透明で、表紙３に対応する箇所７と裏表紙４に対応する箇所８が不透明という例となっている。このような実際に第1の実施の形態におけるブックカバーが掛かっている本を外出して持ち歩き、喫茶店などで読む場合、所持者（又は所有者）は背表紙５に対応する箇所６、表紙３に対応する箇所７、及び裏表紙４に対応する箇所８の３つの箇所の内で、背表紙５に対応する箇所６が透明で視認性が良く、表紙３に対応する箇所７及び裏表紙４に対応する箇所８が不透明で視認性が悪いことを事前に知っているので、他人には背表紙５に対応する箇所６を見せないような立ち振る舞いをし、自分自身はその箇所をみて本のタイトル名などを確認することにより、本人にはどんな本であるかが容易に分かり、他人からはどんな本であるかかが分かりづらいだろうという安心感と便利さとを得ることが出来る。
【００３６】
第２、４、又は６の実施の形態につき図４〜図７により説明する。斜視図である図４は、束２を中心に置いて表紙３と裏表紙４を左右に広げている本１の背表紙５に、第２、４、又は６の実施の形態のブックカバーにおける背表紙５に対応する箇所６をちょうど当てて、このブックカバーにおける表紙３に対応する箇所７と裏表紙４に対応する箇所８を水平に開いている状態を示している。この図４の場合では背表紙５に対応する箇所６は透明で、表紙３に対応する箇所７と裏表紙４に対応する箇所８が半透明という例となっている。この第２、４、又は６の実施の形態のブックカバーにおける本の表紙、裏表紙、及び背表紙に対応する３つの箇所に使用すべき素材とは何か、また該３つの箇所において異なった素材が同時に使用されて接合により連結形成される場合の作成方法はどんなものがあるかなどについては、第１の実施の形態のところで説明した内容と同様である。
【００３７】
平面図である図５は、第２、４、又は６の実施の形態におけるブックカバーの開かれた状態の裏側を示すものであり、背表紙５に対応する箇所６は透明で、表紙３に対応する箇所７と裏表紙４に対応する箇所８が半透明という例となっている。また固定のための固定帯９が示されている。
【００３８】
斜視図である図６は、第２、４、又は６の実施の形態におけるブックカバーが本をカバーし実際に使われる状態を示したものであり、背表紙５に対応する箇所６は透明で、表紙３に対応する箇所７と裏表紙４に対応する箇所８が半透明という例となっている。このような実際に第２、４、又は６の実施の形態におけるブックカバーが掛かっている本を外出して持ち歩き、喫茶店などで読む場合、所持者（又は所有者）は背表紙５に対応する箇所６、表紙３に対応する箇所７、及び裏表紙４に対応する箇所８の３つの箇所の内で、背表紙５に対応する箇所６が透明で視認性が良く、表紙３に対応する箇所７及び裏表紙４に対応する箇所８が半透明で視認性が悪いことを事前に知っているので、他人には背表紙５に対応する箇所６を見せないような立ち振る舞いをし、自分自身はその箇所をみて本のタイトル名などを確認することにより、本人にはどんな本であるかが容易に分かり、他人からはどんな本であるかかが分かりづらいだろうという安心感と便利さとを得ることが出来る。
【００３９】
平面図である図７は、第２、４、又は６の実施の形態におけるブックカバーの開かれた状態の裏側を示すものであるが図５とは違って、背表紙５に対応する箇所６は透明で、表紙３に対応する箇所７が不透明で、裏表紙４に対応する箇所８が半透明という例となっている。
【００４０】
第３、５、又は７の実施の形態につき図８〜図１１により説明する。斜視図である図８は、束２を中心に置いて表紙３と裏表紙４を左右に広げている本１の背表紙５に、第３、５、又は７の実施の形態のブックカバーにおける背表紙５に対応する箇所６をちょうど当てて、このブックカバーにおける表紙３に対応する箇所７と裏表紙４に対応する箇所８を水平に開いている状態を示している。この図８の場合では背表紙５に対応する箇所６は半透明で、表紙３に対応する箇所７と裏表紙４に対応する箇所８が不透明という例となっている。この第３、５、又は７の実施の形態のブックカバーにおける本の表紙、裏表紙、及び背表紙に対応する３つの箇所に使用すべき素材とは何か、また該３つの箇所において異なった素材が同時に使用されて接合により連結形成される場合の作成方法はどんなものがあるかなどについては、第１の実施の形態のところで説明した内容と同様である。
【００４１】
平面図である図９は、第３、５、又は７の実施の形態におけるブックカバーの開かれた状態の裏側を示すものであり、背表紙５に対応する箇所６は半透明で、表紙３に対応する箇所７と裏表紙４に対応する箇所８が不透明という例となっている。また固定のための固定帯９が示されている。
【００４２】
斜視図である図１０は、第３、５、又は７の実施の形態におけるブックカバーが本をカバーし実際に使われる状態を示したものであり、背表紙５に対応する箇所６は半透明で、表紙３に対応する箇所７と裏表紙４に対応する箇所８が不透明という例となっている。このような実際に第３、５、又は７の実施の形態におけるブックカバーが掛かっている本を外出して持ち歩き、喫茶店などで読む場合、所持者（又は所有者）は背表紙５に対応する箇所６、表紙３に対応する箇所７、及び裏表紙４に対応する箇所８の３つの箇所の内で、背表紙５に対応する箇所６が半透明で視認性が比較的良く、表紙３に対応する箇所７及び裏表紙４に対応する箇所８が不透明でまったく視認性が悪いことを事前に知っているので、他人には背表紙５に対応する箇所６を見せないような立ち振る舞いをし、自分自身はその箇所をみて本のタイトル名などを確認することにより、本人にはどんな本であるかが容易に分かり、他人からはどんな本であるかかが分かりづらいだろうという安心感と便利さとを得ることが出来る。
【００４３】
平面図である図１１は、第３、５、又は７の実施の形態におけるブックカバーの開かれた状態の裏側を示すものであるが図９とは違って、背表紙５に対応する箇所６は半透明で、表紙３に対応する箇所７が半透明で、裏表紙４に対応する箇所８が不透明という例となっている。
【００４４】
第１０〜１３のいずれかの実施の形態につき図１２、図１３、図３により説明する。平面図である図１２は、従来の書店サービスカバー用のすべて紙（主に再生紙が使用されている）によりできているブックカバーの一部を仕様変更し、この紙のカバーの中央部（カバーした場合に本１の背表紙５に対応する箇所６）を透明又は半透明なシート又はフイルムに変えた場合のブックカバーを開いた状態で内側（裏側）から見たものである。この場合背表紙５に対応する箇所６は透明で、表紙３に対応する箇所７と裏表紙４に対応する箇所８が不透明である紙という例になっている。勿論この場合背表紙５に対応する箇所６は半透明でも良い。
【００４５】
この第１０〜１３のいずれかの実施の形態においては、背表紙５に対応する箇所６を従来の不透明な紙から透明又は半透明なシート又はフイルムに変えたことになるが、この半透明なシート又はフイルムの素材としては、その強度、透明性、製造コストなどの面からポリスチレン、ポリプロピレン、ポリエチレン、ポリエステル、ポリオレフィン、ポリ塩化ビニルなどが使用し得るが、環境保全などにも考慮すれば多少コスト的には高くなるが、生分解性樹脂の使用が望ましい。
【００４６】
平面図である図１３は、図１２と同様に従来の書店サービスカバー用のすべて紙によりできているブックカバーの一部を仕様変更し、この紙のカバーの中央部（カバーした場合に本の背表紙に対応する箇所）を透明又は半透明なシート又はフイルムに変えた場合のブックカバーを開いた状態で内側（裏側）から見たものを示しているが、ただしこの図１３においては比べやすいように本１を横に離して並べて実際に本にカバーする時に必要になるブックカバーの折り返しの位置を示す線１０と折り返しシロ１１を併せて示している。
【００４７】
斜視図である図３は、第１０〜１３のいずれかの実施の形態における書店サービスカバー用のブックカバーが本をカバーし実際に使われる状態を示したものであり、背表紙５に対応する箇所６は透明で、表紙３に対応する箇所７と裏表紙４に対応する箇所８が不透明という例となっている。このような実際に第１０〜１３のいずれかの実施の形態における書店サービスカバー用のブックカバーが掛かっている本を外出して持ち歩き、喫茶店などで読む場合、所持者（又は所有者）は背表紙５に対応する箇所６、表紙３に対応する箇所７、及び裏表紙４に対応する箇所８の３つの箇所の内で、背表紙５に対応する箇所６が透明で視認性が比較的良く、表紙３に対応する箇所７及び裏表紙４に対応する箇所８が紙でできているので不透明でまったく視認性が悪いことを事前に知っているので、他人には背表紙５に対応する箇所６を見せないような立ち振る舞いをし、自分自身はその箇所をみて本のタイトル名などを確認することにより、本人にはどんな本であるかが容易に分かり、他人からはどんな本であるかかが分かりづらいだろうという安心感と便利さとを得ることが出来る。
【００４８】
第１４〜１６のいずれかの実施の形態につき図１４〜図１７により説明する。斜視図である図１４は、束２を中心に置いて表紙３と裏表紙４を左右に広げている本１の背表紙５に、第１４〜１６のいずれかの実施の形態のブックカバーにおける背表紙５に対応する箇所６をちょうど当てて、このブックカバーにおける表紙３に対応する箇所７と裏表紙４に対応する箇所８を水平に開いている状態を示している。この図１５の場合では表紙３に対応する箇所７と裏表紙４に対応する箇所８が透明で、背表紙５に対応する箇所６は不透明という例となっている。この第１４〜１６のいずれかの実施の形態のブックカバーにおける本の表紙、裏表紙、及び背表紙に対応する３つの箇所に使用すべき素材とは何か、また該３つの箇所において異なった素材が同時に使用されて接合により連結形成される場合の作成方法はどんなものがあるかなどについては、第１の実施の形態のところで説明した内容と同様である。
【００４９】
平面図である図１５は、第１４〜１６のいずれかの実施の形態におけるブックカバーの開かれた状態の裏側を示すものであり、表紙３に対応する箇所７と裏表紙４に対応する箇所８が透明で、背表紙５に対応する箇所６は不透明で、という例となっている。また固定のための固定帯９が示されている。この場合勿論表紙３に対応する箇所７と裏表紙４に対応する箇所８が半透明であっても構わない。
【００５０】
斜視図である図１６は、第１４〜１６のいずれかの実施の形態におけるブックカバーが本をカバーし実際に使われる状態を示したものであり、表紙３に対応する箇所７と裏表紙４に対応する箇所８が透明で、背表紙５に対応する箇所６は不透明という例となっている。このような実際に第１４〜１６のいずれかの実施の形態におけるブックカバーが掛かっている本を自宅の書棚に収納しておけば、例え本を収納している書棚のある部屋に来客があった場合などでも、他人からは自分の所持本（又は所有本）がどんな内容の本であるかを即座に察知されづらく、本の所持者（又は所有者）本人がひとりいる時には本人にはその所持本（又は所有本）がどんな本であるかが割りとたやすく視認出来るという安心感と便利さとを本の所持者（又は所有者）は得ることが出来る。
【００５１】
平面図である図１７は、第１４〜１６のいずれかの実施の形態におけるブックカバーの裏側を示すものであるが図１６とは違って、表紙３に対応する箇所７が半透明で、裏表紙４に対応する箇所８が透明で、背表紙５に対応する箇所６は不透明という例となっている。
【図面の簡単な説明】
【００５２】
【図１】本発明の第１の実施の形態の本の背表紙に開いたブックカバーを当てた状態の斜視図
【図２】本発明の第１の実施の形態のブックカバーを内側に開いた状態の平面図
【図３】本発明の第１又は第１０〜１３のいずれかの実施の形態のブックカバーを実際に本に使用している状態の斜視図
【図４】本発明の第２、４、又は６のいずれかの実施の形態の本の背表紙に開いたブックカバーを当てた状態の斜視図
【図５】本発明の第２、４、又は６のいずれかの実施の形態のブックカバーを内側に開いた状態の平面図
【図６】本発明の第２、４、又は６のいずれかの実施の形態のブックカバーを実際に本に使用している状態の斜視図
【図７】本発明の第２、４、又は６のいずれかの実施の形態のブックカバーを内側に開いた状態の平面図
【図８】本発明の第３、５、又は７のいずれかの実施の形態の本の背表紙に開いたブックカバーを当てた状態の斜視図
【図９】本発明の第３、５、又は７のいずれかの実施の形態のブックカバーを内側に開いた状態の平面図
【図１０】本発明の第３、５、又は７のいずれかの実施の形態のブックカバーを実際に本に使用している状態の斜視図
【図１１】本発明の第３、５、又は７のいずれかの実施の形態のブックカバーを内側に開いた状態の平面図
【図１２】本発明の第１０〜１３のいずれかの実施の形態の書店サービスカバー用のブックカバーを内側に開いた状態の平面図
【図１３】本発明の第１０〜１３のいずれかの実施の形態の書店サービスカバー用のブックカバーを内側に開いた状態の平面図
【図１４】本発明の第１０〜１３のいずれかの実施の形態の本の背表紙に開いたブックカバーを当てた状態の斜視図
【図１５】本発明の第１０〜１３のいずれかの実施の形態のブックカバーを内側に開いた状態の平面図
【図１６】本発明の第１０〜１３のいずれかの実施の形態のブックカバーを実際に本に使用している状態の斜視図
【図１７】本発明の第１０〜１３のいずれかの実施の形態のブックカバーを内側に開いた状態の平面図
【符号の説明】
【００５３】
１本
２束
３表紙
４裏表紙
５背表紙
６背表紙５対応する箇所（ブックカバーの）
７表紙３に対応する箇所（ブックカバーの）
８裏表紙４に対応する箇所（ブックカバーの）
９固定のための帯
１０本１にカバーセットする時の折り返しの位置を示す線（ブックカバーの）
１１本１にカバーセットする時の折り返しシロ（ブックカバーの）
【図１】
2008302551.tif 000003
【図２】
2008302551.tif 000004
【図３】
2008302551.tif 000005
【図４】
2008302551.tif 000006
【図５】
2008302551.tif 000007
【図６】
2008302551.tif 000008
【図７】
2008302551.tif 000009
【図８】
2008302551.tif 000010
【図９】
2008302551.tif 000011
【図１０】
2008302551.tif 000012
【図１１】
2008302551.tif 000013
【図１２】
2008302551.tif 000014
【図１３】
2008302551.tif 000015
【図１４】
2008302551.tif 000016
【図１５】
2008302551.tif 000017
【図１６】
2008302551.tif 000018
【図１７】
2008302551.tif 000019